(57)【要約】【課題】始動口への入賞時にその時の保留数に対応する賞球数が払い出されるようにすることにより、その設定如何で遊技店側と遊技者側との利益バランスが調整でき、また、変動保留数が増えても遊技者が打球発射を中断することなく、遊技店の売上が伸びるようにする。【解決手段】始動口９への入賞により賞球が払い出されるとともに、図柄変動表示器１２の図柄が変動を開始し、該図柄の変動中の始動口への入賞を所定個数まで記憶する変動保留手段を備え、変動した図柄が予め定められた特定図柄で停止したときに特別遊技状態となるパチンコ遊技機において、前記変動保留手段に記憶された保留数に対応する複数種類の賞球数を設定し、始動口への入賞時にその時の保留数の対応した賞球数が選択されて払い出されるようにした。【選択図】図２
2005052565.tif 000002
【特許請求の範囲】
【請求項１】
始動口への入賞により賞球が払い出されるとともに、図柄変動表示器の図柄が変動を開始し、該図柄の変動中の始動口への入賞を記憶する変動保留手段を備え、変動した図柄が予め定められた特定図柄で停止したときに特別遊技状態となるパチンコ遊技機において、
前記変動保留手段に記憶された保留数に対応する複数種類の賞球数を設定し、始動口への入賞時にその時の保留数の対応した賞球数が選択されて払い出されるようにしたことを特徴とするパチンコ遊技機。
【請求項２】
保留数が増大するにつれて払い出される賞球数が次第に減少するように設定したことを特徴とする請求項１に記載のパチンコ遊技機。
【請求項３】
保留数が増大するにつれて払い出される賞球数が次第に増加するように設定したことを特徴とする請求項１に記載のパチンコ遊技機。
【請求項４】
始動口に入賞することによって現在払い出し予定である賞球数を報知する報知手段を設けたことを特徴とする請求項１〜３のいずれかに記載のパチンコ遊技機。
【発明の詳細な説明】
【技術分野】
【０００１】
本発明は、遊技球が始動口に入賞することにより賞球が払い出されるとともに、図柄変動表示器の図柄が変動を開始し、変動した図柄が予め定められた特定図柄で停止したときに遊技者にとって有利な特別遊技状態となるパチンコ遊技機に関するものである。
【背景技術】
【０００２】
第１種パチンコ遊技機は、周知のように、遊技盤に少なくとも始動入賞口と図柄変動表示器と可変入賞装置が設けられ、遊技球が始動入賞口に入賞すると該図柄変動表示器の表示図柄が変動を開始し、所定時間経過後に変動停止した停止図柄が所定の確率（１／３００程度）で偶然性をもって例えば「２２２」，「７７７」，「☆☆☆」のように予め定められた所定図柄となった場合に大当たりが発生し、特別遊技状態となって可変入賞装置が繰り返し開成状態となり遊技者にとって有利な状態に変換されるものである。
【０００３】
そして従来から第１種パチンコ遊技機には、遊技盤上に設けられた４個のランプ状表示器によって変動保留数を表示する変動保留手段が設けられ、該変動保留手段は、上記図柄変動表示器の表示図柄が変動中に始動条件が成立した場合、その変動終了後に図柄変動を開始させるためその始動条件の成立を一時記憶し、表示ランプを１つだけ点灯しているときは変動保留数が１回であり、２つ点灯しているときは変動保留数が２回であり、３つ点灯しているときは変動保留数が３回であることを遊技者に報知し、図柄変動の終了後にその記憶された変動保留数に従い図柄変動が順に実施されるようにしている。なお、通常この変動保留数は４個を限度として記憶し、５個以上は無効とするものが普通であった。
【０００４】
また下記特許文献１および特許文献２に示されたパチンコ遊技機は、所定の遊技状態となることで実行される抽選によって賞球数が変更されるようにしたものであり、特許文献３に示されたパチンコ遊技機は、上記変動保留数が上限に達したときに球振分装置を作動させ遊技球を入賞させる入賞口が変更されるようにしたものである。
【特許文献１】特開２００２−２７２９９７号公報
【特許文献２】特開平１０−９９５０４号公報
【特許文献３】特開２００２−３５２６７号公報
【発明の開示】
【発明が解決しようとする課題】
【０００５】
ところで一般に第１種パチンコ遊技機における大当たりが発生する確率は、遊技店側と遊技者側との利益バランスから上記のように非常に低く設定せざるを得ないものであった。このため、大当たりを発生させるためにはなるべく頻繁に始動口に入賞させる必要があるが、遊技店側が釘調整によって始動口に入賞し易いように設定すると、大当たりを発生させ易くなるだけでなく、始動口に入賞する度に所定個数の賞球が遊技者に払い出されるので、その賞球数も多くなり、結果として遊技店側の負担が非常に多くなり利益バランスが崩れるという問題があった。
【０００６】
また、上記のように変動保留数を一定数以上無効としているために、多くの遊技者は変動保留数が一定以上になると打球の発射を一時停止させている。このため遊技店側からすれば、売上が伸びないという問題があった。
【０００７】
また、上記特許文献３に示されたパチンコ遊技機は、遊技盤上に設けられた振分部材を所定方向に回転作動させて遊技球をいずれかの入賞口に機械的に振り分けることで賞球の有無を制御するものであったので、遊技球が噛込みトラブルを発生し易いという問題がある。
本発明はこのような課題を解決し得るパチンコ遊技機を提供しようとするものである。
【課題を解決するための手段】
【０００８】
そのために本発明は、始動口への入賞により賞球が払い出されるとともに、図柄変動表示器の図柄が変動を開始し、該図柄の変動中の始動口への入賞を記憶する変動保留手段を備え、変動した図柄が予め定められた特定図柄で停止したときに特別遊技状態となるパチンコ遊技機において、前記変動保留手段に記憶された保留数に対応する複数種類の賞球数を設定し、始動口への入賞時にその時の保留数の対応した賞球数が選択されて払い出されるようにしたことを特徴とする。
【０００９】
また本発明は上記パチンコ遊技機において、保留数が増大するにつれて払い出される賞球数が次第に減少するように設定したことを特徴とする。
【００１０】
また本発明は上記パチンコ遊技機において、保留数が増大するにつれて払い出される賞球数が次第に増加するように設定したことを特徴とする。
【００１１】
また本発明は上記パチンコ遊技機において、始動口に入賞することによって現在払い出し予定である賞球数を報知する報知手段を設けたことを特徴とする。
【発明の効果】
【００１２】
始動口への入賞時にその時の保留数に対応する賞球数が払い出されるので、その設定如何により、遊技店側と遊技者側との利益バランスが調整できる。また、その設定如何によっては打球発射が中断されることがなくなり遊技店の売上を増加させる。
【実施例１】
【００１３】
次に本発明の実施例を説明する。図１にこのパチンコ遊技機の遊技盤の正面を示す。図中、１は遊技盤、２は該遊技盤の遊技領域に設けられた天入賞口、３は左右入賞口で、これらの入賞口は遊技球が１個入球すると１０個の景品球が払い出される所謂普通入賞口である。４は風車、５はアウト穴である。
【００１４】
６は遊技盤上に設けられた通過ゲート式の入賞口、７は該入賞口に設けられた球検出器、８は該入賞口６を打球が通過することにより数字を変動表示する７セグメント発光数字表示器からなる表示器である。また、９はソレノイドの作動により一対の翼片１０が開閉動するように遊技盤１の遊技領域に設けられたチューリップ型の始動口で、該翼片１０は表示器８の停止数字に従い開閉動する。１１は該始動口９に入賞した遊技球を検出するために設けられた球検出器である。
【００１５】
また、１２は遊技球が始動口９に入球することによって１〜８の数字および○，☆，◇，◎等の表示図柄が変動を開始するカラー液晶ディスプレイからなる図柄変動表示器である。該図柄変動表示器にはこれらの図柄が一定時間変動表示された後停止し、その停止図柄が偶然性をもって例えば「２２２」「５５５」「７７７」等の特定図柄となった場合に遊技者にとって有利な特別遊技状態となる。
【００１６】
また、１３は遊技盤１の遊技領域で前記始動口９の下部領域に設けられた可変入賞装置で、該可変入賞装置は横長状の大入賞口にソレノイドによって開閉動する横長板状の開閉扉１５が設けられている。なお、１４は該可変入賞装置に入賞した遊技球を検出する球検出器である。また、１６は４個のランプ状表示器１６ａ〜１６ｄからなる変動保留数表示装置で、図柄変動表示器１２の図柄が変動中であるときに遊技球が始動口９に入賞した場合、その入賞球の個数（変動保留数）が４個まで変動保留手段に記憶され、点灯するランプの個数によって該変動保留数が報知される。
【００１７】
図２はこのパチンコ遊技機の電子回路における本発明と関連する装置のみを示したブロック図で、ＣＰＵ，ＲＡＭ，ＲＯＭからなるマイクロコンピュータにＩ／Ｏを介して前記球検出器７，球検出器１１，球検出器１４、および、図柄変動表示器１２，変動保留数表示装置１６、および、賞球払出装置１７ｂを作動させる賞球払出制御装置１７ａ、前記翼片１０を作動させるソレノイド１８、前記開閉扉１５を作動させるソレノイド１９等が接続される、これにより、該ＣＰＵに図柄変動制御手段，大当たり判定制御手段，特別遊技制御手段、および、変動保留手段，賞球数設定手段等が備えられる。
【００１８】
このパチンコ遊技機では、球検出器１１により始動口９への入球が検知されることにより賞球払出装置１７ｂが作動し７個の賞球が遊技者に払い出されると同時に、図柄変動表示器１２に１〜９の数字および☆◆◎▽からなる図柄が３列にて変動表示され、その数秒後に変動が停止し、その停止図柄が例えば「２２２」「５５５」「７７７」等の所定図柄に揃った場合に大当たりとなり特別遊技状態となって可変入賞装置１３の開閉扉１５が継続的に開閉動し、多数の遊技球を該可変入賞装置に入賞可能となり、遊技者に多くの利益がもたらされる。
【００１９】
次に請求項１，２，４に記載の発明の実施例を図３のフローチャートに従い説明する。ステップ（イ）にて球検出器１１による始動口９への打球の入賞が検知されると、ステップ（ロ）にて図柄変動表示器１２が変動表示中または特別遊技状態でないかどうかが判別され、変動表示中または特別遊技状態でない場合はステップ（ハ）によって始動口９へ打球が入賞した場合の賞球の個数が７個に設定される。そして図柄変動表示ルーチン（図示せず）に移行し上記のように図柄変動表示器１２に図柄を変動表示させる。また、そうでない場合、即ち、図柄変動表示器１２が変動表示中または特別遊技状態であった場合はステップ（ニ）に移行し、変動保留手段に記憶される保留数Ｈに「１」が加算される。なお、保留数Ｈがすでに「４」であった場合は「４」のままとなる。そしてステップ（ホ）にて変動保留数表示装置１６が作動され、その保留数Ｈに従い、図４に例示したように、ランプ状表示器１６ａ〜１６ｄを向かって左側のものから順に点灯させることで変動保留数を表示する。即ち、保留数Ｈ＝１のときはランプ状表示器１６ａのみを点灯させ、保留数Ｈ＝２のときはランプ状表示器１６ａおよび１６ｂを点灯させ、保留数Ｈ＝３のときはランプ状表示器１６ａ，１６ｂ，１６ｃを点灯させ、保留数Ｈ＝４のときは全部のランプ状表示器１６ａ〜１６ｄを点灯させる。
【００２０】
そしてその保留数Ｈに従ってステップ（ヘ）（ト）（チ）に夫々移行し、賞球数設定手段が作動され、保留数Ｈ＝１であるときはステップ（リ）にて始動口９へ打球が入賞した場合の賞球の個数が６個に設定され、保留数Ｈ＝２であるときはステップ（ヌ）にて同じく賞球の個数が５個に設定され、保留数Ｈ＝３であるときはステップ（ル）にて同じく賞球の個数が４個に設定され、保留数Ｈ＝４であるときはステップ（ヲ）にて３個に設定される。なお、これらの設定個数は、図４に示したようにランプ状表示器１６ａ〜１６ｄに数字を表記することにより遊技者に報知される。例えば、ランプ状表示器１６ａおよび１６ｂが点灯していたときは始動口９へ打球が入賞した場合の賞球の個数が５個であることが遊技者に報知され、ランプ状表示器１６ｃまで点灯していたときは賞球個数は４個に減り、さらにランプ状表示器１６ｄまで点灯していたときは賞球個数は３個に減ることが遊技者に報知される。
【００２１】
このように、保留数Ｈが増大するにつれて払い出される賞球数が次第に減少するように設定したことによっては、遊技店側が釘調整等により打球が始動口９に頻繁に入賞し得るように設定しても、それによって払い出される賞球数を比較的少なくできるので、遊技者を喜ばすため遊技店側が図柄変動表示器１２の図柄変動が頻繁に行われるようにしたとしても、大当たりが出ない限り遊技者の持ち球が増加することなく、遊技店側の利益も確保することができるなど、利益バランスを保ち易くすることができる。
【００２２】
なお、変動保留数の最大数については、この実施例に示した４個に限らず、さらに大きくしたり、或いは上限を無くすことも可能である。そうした場合、例えば保留数が０〜３０個である時の始動口９に入賞した場合の賞球数を６個に設定し、保留数が３１〜６０個である時の賞球数を５個に設定し、保留数が６１個以上である時の賞球数を３個に設定するようなことも可能である。
【実施例２】
【００２３】
一方、図５のフローチャートは請求項３に記載の発明の実施例を示す。この実施例に示したパチンコ遊技機は、保留数Ｈが増大するにつれて払い出される賞球数が次第に増加するように設定したものである。即ち、このパチンコ遊技機では図柄変動表示器１２が変動表示中または特別遊技状態でないときに始動口９への入賞が検知された場合の遊技者に払い出される賞球数は３個に設定され、図柄変動表示器１２が変動表示中または特別遊技状態のときに始動口９への入球が検知された場合は、その変動保留数Ｈが増加するに従って始動口９へ入賞したときの賞球数が４個，５個，６個，７個へと徐々に増加するように設定される。このため多くの遊技者は、変動保留数が４個以上記憶されない不利益があることが分かっていても、賞球数が多くなることの利益を考慮し打球の発射を中断しないようになる。
【００２４】
また、保留数Ｈが２個以下にときは賞球数を４個に設定し、保留数Ｈが３個以上となると賞球数を一挙に１５個に増大させるような設定も可能である。このような設定によって打球の発射を中断することがむしろ得でないと認識されることから、発射を中断する遊技者は一層少なくできる。このようにこの実施例のパチンコ遊技機では、遊技者に打球の発射を中断させないように仕向けることができるので、遊技店の売上が伸びる利点がある。
【００２５】
このように本発明では、変動保留手段に記憶された保留数に対応する複数種類の賞球数を設定し、始動口への入賞時にその時の保留数の対応した賞球数が選択されて払い出されるようにしたことから、その設定の如何により、遊技店側と遊技者側との利益バランスが調整でき、また、打球発射が中断されないようにすることも可能である。
【００２６】
なおこれらの実施例では４個のランプ状表示器からなる変動保留数表示装置を示したが、変動保留数をそのときの賞球数とともに図柄変動表示器１２の一部に表示されるようにしてもよく、或いは、図示しないセグメント表示装置により変動保留数と賞球数が表示されるようにしてもよい。
【図面の簡単な説明】
【００２７】
【図１】本発明に係るパチンコ遊技機の実施形態を示す遊技盤の正面図。
【図２】本発明に係るパチンコ遊技機のブロック図。
【図３】本発明に係るパチンコ遊技機のフローチャート。
【図４】本発明に係るパチンコ遊技機の変動保留数表示装置の正面図。
【図５】本発明に係るパチンコ遊技機のフローチャート。
【符号の説明】
【００２８】
１          遊技盤
９          始動口
１２        図柄変動表示器
１３        可変入賞装置
１６        変動保留数表示装置
１７ａ      賞球払出制御装置
１７ｂ      賞球払出装置
【図１】
2005052565.tif 000003
【図２】
2005052565.tif 000004
【図３】
2005052565.tif 000005
【図４】
2005052565.tif 000006
【図５】
2005052565.tif 000007